(57)【要約】      （修正有）【課題】囲碁等のゲーム用具と補助椅子の機能を合体し、対戦の途中でも組み立てて椅子として使用でき、また分解してゲームが継続できる家具ができ、ゲーム用具の他、家庭の小物の収納もでき、省スペースで多機能に活用できる。【解決手段】ゲームは対戦台を挟み座椅子（対戦者椅子）に腰掛けて対戦する方式とする。対戦台の上に双方の対戦者椅子を載せ、組み立てて補助椅子となる構造の家具として作成する。対戦台は手持ちの碁盤（裏側が将棋盤等）が蓋として固定でき、中は小物入れとして使用できる。対戦者椅子は座面の蓋を片開きして碁石等を収納できる構造とする。対戦台のゲームが途中でも対戦者椅子を組み立て・分解できるよう椅子の底を上げ底とし、十分な空間を持たせる。対戦台は補助椅子の土台となるため、移動がし易いようキャスターを付けるが、ゲーム中などは動かないようスットパー付きとする。【選択図】図１
0003103761.tif 000002
【実用新案登録請求の範囲】
【請求項１】
（１）  この提案は囲碁等の対戦を行う対戦台と腰掛けてできる対戦者椅子に分け、対戦し易いゲーム用具として構成すると共に、これを組み合わせ合体して、補助椅子とすることで、省スペースの家具となる。
（２）  補助椅子は４個のキャスター付きで移動でき、対戦台として使う時は２個をストッパーで固定できる構造とする。
（３）  ゲーム用具は対戦者椅子の中に収納できる他、対戦台の中も家庭の小物入れとして活用できる構造とする。
【請求項２】
（１）  囲碁等の対戦途中でも、そのまま組み合わせて合体し、補助椅子として使用でき、再度分解して戻せば、前の対戦状態を継続できる。
このため、盤の蓋となる対戦椅子の底と盤の空間はゆとりを持たせ、対戦状況をそのまま残せることとした。
さらに、補助椅子をキャスターで移動するときの衝撃でも対戦状態が崩れないよう、厚型透明ビニールで重石をして固定する。
【考案の詳細な説明】
【技術分野】
【０００１】  本考案は囲碁等のゲーム用具と補助椅子の機能の合体と共に収納の工夫に関するものである。
【背景技術】
【０００２】  従来、碁盤等のゲーム用具は単独で製作され、使用されており、また、補助椅子に小物入れを兼ねるものはあっても、椅子の機能としてのみ製作され、使用されている。
【考案の開示】
【考案が解決しようとする課題】
【０００３】  従来、囲碁等のゲーム用具はそのための用具として、補助椅子は椅子として夫々作成され、使用されている。しかしこのゲームは対戦の場所を取ること、競技や研究、勉強など夫々時間がかかる。特に家庭では中断して再開する事となる場合が多い。中断したまま放置すると、家庭では邪魔となる。【０００４】  また、家庭では人の集まり等で、椅子が不足する場合が多い。
補助椅子が欲しいが、常時置くのは邪魔となる。物入れを兼ねた家具として使うとしても、なお邪魔な感じがある。【０００５】  両方の機能を併せた物が作れるかが課題である。
【課題を解決するための手段】
【０００６】ゲームは対戦台を挟み座椅子（対戦者椅子）に腰掛けて行う方式とする。対戦台の上に双方の対戦者椅子を載せ、組み立てれば補助椅子となる構造の家具として作成する。【０００７】  対戦台は手持ちの碁盤（裏は将棋盤等）が蓋として固定でき、中は小物入れとなる構造とする。対戦者椅子は双方で使うが、この座面を蓋として片開きすれば碁石等の用具入れとなる構造とする。【０００８】  対戦中でもゲームに支障なく、対戦台の上で対戦者椅子を組み立て・分解ができるよう椅子の底を上げ底とし、十分な空間を持たせる。【０００９】  対戦台は補助椅子の土台でもあるため、移動し易いようキャスターを４個付けるが、ゲーム時の安定のため２個はストッパー付きとする。
【考案の効果】
【００１０】  省スペースで、何時でも生活に即したゲームが楽しめ、補助椅子として急な人の集まりにも対応できる。さらに、物入れの家具の役目も果せる。
【考案を実施するための最良の形態】、
【実施例】
【００１１】  この構想を実現した試作品は下の写真のとおりである。
0003103761.tif 000003
【産業上の利用可能性】
【００１２】  囲碁等を楽しむ人の数から相当の需要量が見込まれ、家具の一分野として製造されるものと考える。
【図面の簡単な説明】
【００１３】
【図１】対戦台平面図、
【図２】対戦者椅子平面図  対戦台は碁盤の大きさの物をはめ込み蓋として使う。碁盤と将棋盤が裏表で使える盤なら一つで兼用できる。この中は生活上の小物入れとなる。この上に対戦者椅子が載るため両側は固定するための切れ込みを設けている。対戦者椅子は二つに分かれており、夫々対戦台の上に載り、外側を固定し、内側にはめ込まれたとき、固定されるよう外側の枠板内側に金具をつける。座面は蓋の上をクッションで被う。蓋は片開きで開ける。この中は夫々ゲーム用具等の入れ物となる。
【００１４】
【図３】対戦者椅子正面図（兼断面図）
【図４】対戦台正面図（兼断面図）
【図５】対戦者椅子側面図（兼断面図）
【図６】対戦台側面図（兼断面図）対戦者椅子に腰掛け、対戦台に向き合って対戦するに適した高さと、対戦台に対戦者椅子を載せた時、補助椅子として適当な高さを検討して決めた。なお、対戦台は移動用キャスターの高さも含めている。
【符号の説明】
【００１５】▲１▼  碁盤等（兼将棋盤）≪手持ちの物でよい≫
▲２▼  対戦者椅子の用具入れ
▲３▼  対戦台の小物入れ
【図１】
0003103761.tif 000004
【手続補正書】
【提出日】平成16年3月18日(2004.3.18)
【手続補正１】
【補正対象書類名】実用新案登録請求の範囲
【補正対象項目名】全文
【補正方法】変更
【補正の内容】
【実用新案登録請求の範囲】
【請求項１】
対戦台を搭載した椅子において
（１）  囲碁等の対戦を行う対戦台と、対戦者が腰掛ける対戦者椅子からなる対戦し易いゲーム用具であると共に、これを組み合わせ合体すれば、補助椅子となる。
（２）  補助椅子は４個のキャスターが付き容易に移動できるが、対戦時は２個をストッパーで固定すれば、安定してゲームが楽しめる対戦台となる。
（３）  ゲーム用具は対戦者椅子の中に収納できる他、対戦台の中も小物入れとして活用できる。
以上からなる即時対戦椅子。
【手続補正２】
【補正対象書類名】明細書
【補正対象項目名】００１１
【補正方法】変更
【補正の内容】
【００１１】  この即時対戦椅子は居間などで補助椅子に使用でき、かつ囲碁・将棋等のゲームをいつでも気軽に楽しめる家具である。
対戦者は対戦者椅子に腰掛けてゲームを行う。対戦台はこれに合った高さとする。対戦台上に対戦者椅子を載せた補助椅子の高さは通常の椅子の高さとする。例えば、対戦台は移動用キャスターも含め２５ｃｍ、対戦者椅子は２０ｃｍ、補助椅子は４５ｃｍ位が適当である。
囲碁・将棋の盤は裏表が使える市販の規格品の使用が可能で、これを蓋とする箱の底に４個のキャスターをつけて対戦台とする。蓋を開けた中は家庭用小物入れとする。なお、盤を固定する場合、物入れは側面からの引き出しとする。
対戦者椅子２脚は対戦台の上で合体し、組み立てる。対戦の途中で合体しても、ゲームはそのまま保存できるよう碁石や駒が動かないだけの空間を持たせる。例えば、高さは２ｃｍ程度、周りは碁盤にかからない状態で合体させる。
対戦者椅子の座面は補助椅子の座面でもあり、座り易い構造とする。中はゲーム用具入れとし、出し入れが容易な構造とする。例えば、対戦者椅子はクッション入りの座面を蓋とする箱型とし、蓋は両方共外側に開くことで、合体時の固定を強める。合体の構造は補助椅子の移動時に崩れないよう対戦台と対戦椅子の接合部は凹凸を設けるほか、持ち上げにも対応でき、分解の容易な金具を内側に設置する。
即時対戦椅子は補助椅子を使う居間等の雰囲気に合ったデザインが求められる。
ゲームを中断し、補助椅子に組み立てる様子は図７のとおりである。
【手続補正３】
【補正対象書類名】明細書
【補正対象項目名】００１４
【補正方法】変更
【補正の内容】
【００１４】
【図３】対戦者椅子正面図（兼断面図）
【図４】対戦台正面図（兼断面図）
【図５】対戦者椅子側面図（兼断面図）
【図６】対戦台側面図（兼断面図）
【図７】完成見取図（対戦中の収納）
【手続補正４】
【補正対象書類名】図面
【補正対象項目名】全図
【補正方法】変更
【補正の内容】
【図１】
0003103761.tif 000005
【図２】
0003103761.tif 000006
【図３】
0003103761.tif 000007
【図４】
0003103761.tif 000008
【図５】
0003103761.tif 000009
【図６】
0003103761.tif 000010
【図７】
0003103761.tif 000011